(57)【要約】【課題】一つの基準トナーパターンに基づいて、感光体に対する作像条件と転写ベルトに対する作像条件の夫々を適切に調整できる間接転写方式の画像形成装置を提供する。【解決手段】感光体２０ｃに形成されたトナー画像を、転写ベルト２１を介して用紙に転写する間接転写方式の画像形成装置であって、感光体２０ｃに基準トナーパターンを形成する画像形成制御部３１と、基準トナーパターンが転写ベルト２１に転写される前に、感光体２０ｃ上の基準トナーパターンの濃度を検出する第一の基準濃度検出部３２Ａと、転写ベルト２１に転写後の基準トナーパターンの濃度を検出する第二の基準濃度検出部３２Ｂと、第一の基準濃度検出部３２Ａによる検出濃度に基づいて現像条件等を調整し、前記検出濃度と第二の基準濃度検出部３２Ｂによる検出濃度の差分に基づいて転写条件を調整する作像条件調整部３３を備えている。【選択図】図１
2009230004.tif 000002
【特許請求の範囲】
【請求項１】
感光体に形成されたトナー画像を、転写ベルトを介して用紙に転写する間接転写方式の画像形成装置であって、
前記感光体に所定濃度の基準トナーパターンを形成する画像形成制御部と、前記基準トナーパターンが前記転写ベルトに転写される前に、前記感光体上の前記基準トナーパターンの濃度を検出する第一の基準濃度検出部と、前記基準トナーパターンが前記転写ベルトに転写された後に、前記転写ベルト上の前記基準トナーパターンの濃度を検出する第二の基準濃度検出部と、前記第一の基準濃度検出部により検出された第一検出濃度に基づいて潜像形成条件または現像条件を調整し、前記第一検出濃度と前記第二の基準濃度検出部により検出された第二検出濃度の差分に基づいて転写条件を調整する作像条件調整部を備えている画像形成装置。
【請求項２】
前記画像形成制御部は、一連の印刷画像の形成後、または所定枚数の印刷画像の形成後に、前記感光体に前記基準トナーパターンを形成する請求項１記載の画像形成装置。
【発明の詳細な説明】
【技術分野】
【０００１】
本発明は、感光体に形成されたトナー画像を、転写ベルトを介して用紙に転写する間接転写方式の画像形成装置に関する。
【背景技術】
【０００２】
上述の画像形成装置では、安定した画像品質を維持するために、感光体に所定濃度の基準トナーパターンを形成する画像形成制御部と、前記基準トナーパターンの濃度を検出する濃度検出部と、前記濃度検出部により検出された前記基準トナーパターンの検出濃度に基づいて現像バイアス電圧等の補正を行なう作像条件調整部を備えている。
【０００３】
特許文献１には、感光体に形成された基準トナーパターンの濃度を感光体上で検出する濃度検出部を備え、当該濃度検出部による検出濃度に基づいて現像バイアス電圧等を補正する作像条件調整部を備えた画像形成装置が提案されている。
【０００４】
一方、特許文献２には、感光体に形成された基準トナーパターンが転写ベルトに転写された後に、基準トナーパターンの濃度を転写ベルト上で検出する濃度検出部を備え、当該濃度検出部による検出濃度に基づいて現像バイアス電圧等を補正する作像条件調整部を備えた画像形成装置が提案されている。
【０００５】
さらに、特許文献３には、感光体上に第１の基準画像を形成し、該感光体上に形成された該第１の基準画像の濃度を検知する第１の検知手段と、該第１の検知手段により検知した検知結果に基づいて画像形成装置を制御する第１の制御手段と、前記感光体上に第２の基準画像を形成し、該感光体上に形成された該第２の基準画像を転写体上に転写し、該転写体上に転写された該第２の基準画像の濃度を検知する第２の検知手段と、該第２の検知手段により検知した検知結果に基づいて画像形成装置を制御する第２の制御手段とを有し、前記第１の制御手段による制御結果に基づいて、前記第２の制御手段の制御を調整する画像形成装置が提案されている。
【特許文献１】特許第２８５３８６５号公報
【特許文献２】特開２００３−３０７９０２号公報
【特許文献３】特開２００１−１０９２０５号公報
【発明の開示】
【発明が解決しようとする課題】
【０００６】
しかし、特許文献１に示される作像条件調整部では、感光体に形成される基準トナーパターンの濃度を検出することにより、感光体に形成される画像が適正濃度の画像となるように作像条件を補正するものであるために、転写バイアス電圧の値によって用紙に転写された最終の画像濃度が変動するという問題があった。
【０００７】
また、特許文献２に示される作像条件調整部では、転写ベルトに形成される基準トナーパターンの濃度を検出することにより、転写ベルトに転写される画像が適正濃度の画像となるように作像条件を補正するものであるが、感光体に形成される画像の濃度と、転写ベルトに転写される画像の濃度を単一の検出濃度に基づいて調整する必要があり、作像条件を適正な値に調整することが困難であるという問題があった。
【０００８】
感光体に形成される画像の濃度を調整するためには、主に現像バイアス電圧、露光光量、または、感光体の帯電電位を調整する必要があるが、転写ベルトに転写され、更に用紙に転写される画像の濃度を調整するためには、さらに転写バイアス電圧を調整する必要があり、これらの何れを優先して調整するべきであるかが適正に判断できないためである。
【０００９】
さらに、特許文献３に示される画像形成装置は、第１の制御手段は、比較的長いスパンで生じる環境変動や耐久変動による画像濃度の変動に対応して、感光体に形成された基準トナーパターンの濃度に基づいてトナー補給量を調整し、第２の制御手段は、第１の制御手段により濃度が調整された後に、転写ベルトに形成された基準トナーパターンの濃度に基づいて、画像形成時のトナー補給量、現像バイアス電圧等を調整するものに過ぎず、基準トナーパターンが夫々個別に形成されるものであるため、転写効率を検出して転写バイアス電圧を調整することができないという問題があった。
【００１０】
尚、特許文献３に示される画像形成装置は、転写ベルトにより搬送される用紙に直接転写されるものであり、感光体に形成されたトナー画像が転写ベルトを介して用紙に間接転写されるような画像形成装置では、転写バイアス電圧の調整が非常に重要となる。
【００１１】
本発明の目的は、上述の従来欠点に鑑み、一つの基準トナーパターンに基づいて、感光体に対する作像条件と転写ベルトに対する作像条件の夫々を適切に調整することができる間接転写方式の画像形成装置を提供する点にある。
【課題を解決するための手段】
【００１２】
上述の目的を達成するため、本発明による画像形成装置の第一の特徴構成は、特許請求の範囲の書類の請求項１に記載した通り、感光体に形成されたトナー画像を、転写ベルトを介して用紙に転写する間接転写方式の画像形成装置であって、前記感光体に所定濃度の基準トナーパターンを形成する画像形成制御部と、前記基準トナーパターンが前記転写ベルトに転写される前に、前記感光体上の前記基準トナーパターンの濃度を検出する第一の基準濃度検出部と、前記基準トナーパターンが前記転写ベルトに転写された後に、前記転写ベルト上の前記基準トナーパターンの濃度を検出する第二の基準濃度検出部と、前記第一の基準濃度検出部により検出された第一検出濃度に基づいて潜像形成条件または現像条件を調整し、前記第一検出濃度と前記第二の基準濃度検出部により検出された第二検出濃度の差分に基づいて転写条件を調整する作像条件調整部を備えている点にある。
【００１３】
上述の構成によれば、作像条件調整部は、第一の基準濃度検出部により検出された感光体上の基準トナーパターンの濃度に基づいて作像条件（潜像形成条件または現像条件）を調整するので、転写による濃度変動の影響を受けていない画像濃度に基づいて精度良く作像条件を調整することができる。つまり、感光体に対する作像条件を適切に調整することができる。
【００１４】
また、作像条件調整部は、感光体上の基準トナーパターンの濃度に基づいて潜像形成条件または現像条件を調整し、転写ベルト上の基準トナーパターンの濃度に基づいて転写バイアス電圧等の転写条件を調整するので、複数の作像条件から調整する条件を明確にすることができる。
【００１５】
更に、作像条件調整部は、同一の基準トナーパターンについての感光体上での濃度と転写ベルト上での濃度との差分に基づいて作像条件（転写条件）を調整するので、当該基準トナーパターンが感光体から転写ベルトに転写される際の転写効率を正確に検出し、この正確な転写効率に基づいて作像条件を調整することができる。つまり、転写ベルトに対する作像条件を適正に調整することができる。
【００１６】
同第二の特徴構成は、同請求項２に記載した通り、上述の第一特徴構成に加えて、前記画像形成制御部は、一連の印刷画像の形成後、または所定枚数の印刷画像の形成後に、前記感光体に前記基準トナーパターンを形成する点にある。
【００１７】
上述の構成によれば、作像条件調整処理を頻繁に実行した場合に生じる印刷速度の低下を防止することができる。逆に、作像条件調整処理を殆ど実行しない場合、供給トナー不足等の環境条件の変化によって、現状の作像条件で印刷したときに画像品質の変動が生じるが、上述の構成によれば、このような画像品質の不安定化を防止することができる。
【発明の効果】
【００１８】
以上説明した通り、本発明によれば、一つの基準トナーパターンに基づいて、感光体に対する作像条件と転写ベルトに対する作像条件の夫々を適切に調整することができる間接転写方式の画像形成装置を提供することが可能となった。
【発明を実施するための最良の形態】
【００１９】
以下、本発明による画像形成装置について説明する。
【００２０】
画像形成装置は、図２及び図３に示すように、液晶画面でなる表示部や複写動作等を起動するスタートキー等が配置された操作部１０と、原稿給紙台１１に載置された原稿を順次給紙して原稿画像を光電変換してデジタル画像データとして読み取る画像読取部１２と、デジタル画像データに対して階調変換、カラー調整、倍率変換等の画像処理を施し、マゼンダ（Ｍ）、シアン（Ｃ）、イエロー（Ｙ）、ブラック（Ｋ）の各成分による出力画像データに変換する画像処理部１３と、出力画像データに基づいてトナー画像としての印刷画像を形成して用紙に転写する画像出力部２と、用紙上に出力された印刷画像を加熱して定着させる定着部１５と、画像出力部２に給紙する用紙を収容した収容部１４と、収容部１４から給紙された用紙を搬送する搬送機構１６と、用紙が排出される排紙部１７と、これらの機能ブロックを制御して画像形成装置としての処理を実行させるシステム制御部３等とを備えて構成される。
【００２１】
また、画像形成装置は、図４に示すように、感光体２０ｃに形成されたトナー画像を、転写ベルト２１を介して用紙に転写する間接転写方式の画像形成装置である。
【００２２】
以下に詳述する。画像出力部２は、互いに異なるトナー色の画像を形成する複数の感光体ユニット２０と、各感光体ユニット２０により感光体２０ｃ上に形成された画像を夫々所定の転写部２０ｅで転写することによりカラー画像を形成する転写ベルト２１を備えている。
【００２３】
また、画像出力部２は、転写ベルト２１を支持して所定の回転速度で回転させる支持ローラ２３と、収容部１４から給紙されてレジストローラ２６で先端補正が行われた後、転写タイミングが調整されて給紙された用紙に転写ベルト２１上の印刷画像を二次転写する二次転写部２２と、印刷画像が用紙に二次転写された後の転写ベルト２１上の残留トナー像を除去するクリーニング部としてのファーブラシ２４等を備えている。
【００２４】
感光体ユニット２０は、中間転写ベルト２１の周方向に沿って四つ備えられ、各感光体ユニット２０は、上流側からマゼンダ（Ｍ）、シアン（Ｃ）、イエロー（Ｙ）、ブラック（Ｋ）の各色に対応している。
【００２５】
各感光体ユニット２０は、各色で全て同一に構成され、感光体２０ｃと、感光体２０ｃ表面を均一に帯電させる帯電チャージャー２０ａと、自ユニットのトナー色に対応する出力画像データに基づいて駆動される露光ヘッド２０ｂと、露光ヘッド２０ｂにより露光されて感光体２０ｃに形成された静電潜像を現像して印刷画像を形成する現像装置２０ｄと、転写ベルト２１への一次転写の後、感光体２０ｃに残留したトナーを除去するクリーニング用のブレード２０ｆと、感光体２０ｃの表面を除電する除電ランプ２０ｇを備えている。
【００２６】
転写部２０ｅは、図示しないバイアス電源によって転写バイアス電圧が印加されており、転写バイアス電圧はトナーの帯電極性と逆極性の電圧である。そして、転写部２０ｅは、転写バイアス電圧によって発生する電界により感光体２０ｃの表面に付着しているトナー像としての印刷画像を、転写ベルト２１に転写させる。尚、二次転写部２２も転写部２０ｅと同様の構成である。
【００２７】
また、画像形成装置には、各感光体ユニット２０の感光体２０ｃの表面に対向して第一トナー濃度センサ２５が備えられており、また、転写ベルト２１のうちの各感光体ユニット２０の後段の位置に対向して第二トナー濃度センサ２７が備えられている。つまり、第一トナー濃度センサ２５は、感光体ユニット２０と同数備えられているのに対して、第二トナー濃度センサ２７は、一個だけ備えられている。尚、各トナー濃度センサ２５、２７は、赤外線の反射型フォトセンサ等で構成されている。
【００２８】
第一トナー濃度センサ２５は、後述する作像条件の調整動作の実行時に、感光体２０ｃの表面に形成された作像条件調整用の基準トナーパターンに投光し、その反射光に基づいたレベルの信号を出力する。また、第二トナー濃度センサ２７は、前記調整動作の実行時に、転写部２０ｅで感光体２０ｃから転写ベルト２１に転写された前記基準トナーパターンに投光し、その反射光に基づいたレベルの信号を出力する。尚、基準トナーパターンについては後述する。
【００２９】
システム制御部３は、ＣＰＵと、ＣＰＵにより実行される制御プログラムを格納するＲＯＭと、制御データ等を格納するＲＡＭと、各種センサ等からの信号を受信する入力ポートと、モータ等の各種駆動装置等へ制御信号を出力する出力ポート等を備えて構成される。
【００３０】
システム制御部３は、画像形成装置の各部に画像形成装置としての所定の処理を実行させるための複数の制御部を備え、各制御部の機能は、ＣＰＵが制御プログラムを実行して関連するハードウェアを駆動することにより実現される。
【００３１】
本発明によるシステム制御部３は、図１に示すように、感光体２０ｃに所定濃度の基準トナーパターンを形成する画像形成制御部３１と、基準トナーパターンが転写ベルト２１に転写される前に、感光体２０ｃ上の基準トナーパターンの濃度を検出する第一の基準濃度検出部３２Ａと、基準トナーパターンが転写ベルト２１に転写された後に、転写ベルト２１上の基準トナーパターンの濃度を検出する第二の基準濃度検出部３２Ｂと、第一の基準濃度検出部３２Ａにより検出された第一検出濃度に基づいて潜像形成条件または現像条件を調整し、第一検出濃度と第二の基準濃度検出部３２Ｂにより検出された第二検出濃度の差分に基づいて転写条件を調整する作像条件調整部３３を、上述の複数の制御部のうちの一部として備えている。
【００３２】
画像形成制御部３１は、上述した各色の感光体ユニット２０を制御することで、各色についての印刷画像及び基準トナーパターンを形成する。
【００３３】
ここで、基準トナーパターンは、画像処理部１３から出力される予め設定された所定階調数の階調パターンで表わされたテストパッチデータに基づいて、露光ヘッド２０ｂ及び現像装置２０ｄによって感光体２０ｃの表面に作像された、ベタ濃度や所定のハーフトーン濃度の複数のトナー像で構成されている。
【００３４】
画像形成制御部３１は、各色の基準トナーパターンを、各感光体の軸心方向に沿って互いに同一の位置に形成する。
【００３５】
例えば、図５（ａ）に示すように、各色についての感光体２０ｃ上に、各色についての基準トナーパターンＴＰＭ、ＴＰＣ、ＴＰＹ、ＴＰＫが形成される。尚、図５（ａ）、（ｂ）は、画像出力部２を上から見た図である。
【００３６】
各色についての基準トナーパターンは、図５（ａ）の矢印に示す転写ベルト２１の進行方向に対して平行方向に、タイミングをずらされて形成される。
【００３７】
そのため、各色についての第一トナー濃度センサ２５は、転写ベルト２１の進行方向に対して垂直方向に同一の位置に配置されているが、図５（ｂ）に示すように、各色についての基準トナーパターンが転写ベルト２１上で互いに重なることはない。尚、図５（ｂ）では、基準トナーパターンは各色で同一濃度であるが、基準トナーパターンが各色で異なる濃度の構成であってもよい。
【００３８】
また、基準トナーパターンは、図６（ｂ）に示すように、転写ベルト２１の進行方向に対して垂直方向に異なる位置に形成される構成であってもよい。この場合、各色についての基準トナーパターン及び第一トナー濃度センサ２５は、図６（ａ）に示すように、転写ベルト２１の進行方向に対して垂直方向に異なる位置に配置される。また、この場合、図６（ａ）に示すように、第二トナー濃度センサ２７も第一トナー濃度センサ２５と同様に、感光体ユニット２０と同数備えられる。
【００３９】
また、画像形成制御部３１は、一連の印刷画像の形成後、または所定枚数の印刷画像の形成後に、感光体２０ｃに基準トナーパターンを形成するように構成されている。
【００４０】
一連の印刷画像の形成後に基準トナーパターンを形成する構成とは、例えば、オペレータが操作部１０で印刷枚数を設定して印刷開始を指示してから、当該枚数の印刷が終了したときに基準トナーパターンを形成する構成である。
【００４１】
所定枚数の印刷画像の形成後に基準トナーパターンを形成する構成とは、例えば、システム制御部３に印刷枚数をカウントするカウンタを設けておき、カウンタが所定数、例えば「１０００」に達する度に基準トナーパターンを形成する構成である。つまり、画像が１０００枚印刷される度に、画像形成制御部３１によって基準トナーパターンが形成される。
【００４２】
第一の基準濃度検出部３２Ａは、各色の第一トナー濃度センサ２５から画像形成制御部３１に入力された信号のレベルに基づいて、各色の基準トナーパターンの濃度を求める。
【００４３】
尚、この場合、各色の第一トナー濃度センサ２５からは、第一トナー濃度センサ２５の夫々に対応する色の信号レベルのみが第一の基準濃度検出部３２Ａに入力される。
【００４４】
第二の基準濃度検出部３２Ｂは、第二トナー濃度センサ２７から画像形成制御部３１に入力された各色の信号のレベルに基づいて、各色の基準トナーパターンの濃度を求める。
【００４５】
尚、この場合、トナー濃度センサ２７からは、各色の信号レベルが順番に第二の基準濃度検出部３２Ｂに入力される。例えば、図５（ｂ）のような基準トナーパターンが転写ベルト２１に形成されている場合、トナー濃度センサ２７からは、マゼンダ（Ｍ）、シアン（Ｃ）、イエロー（Ｙ）、及びブラック（Ｋ）の順番で、信号レベルが第二の基準濃度検出部３２Ｂに入力される。
【００４６】
作像条件調整部３３は、第一の基準濃度検出部３２Ａにより検出されたＭＣＹＫ各色についての濃度に基づいて、各色についての潜像形成条件または現像条件を夫々調整するように構成されている。
【００４７】
潜像形成条件の調整は、例えば、画像処理部２で、デジタル画像データの濃度調整するための階調変換テーブルデータを書き替えることで行なわれる。
【００４８】
階調変換テーブルは、入力画像データに対して出力画像データが所望の階調性を確保できるように数値変換するルックアップテーブルで、図７に例示すような階調特性を持たせたものである。作像条件調整部３３は、第一の基準濃度検出部３２Ａにより検出された基準トナーパターンの検出濃度が低いときには階調特性の傾きが大きくなるように、つまりトナー濃度が高くなるようにテーブルデータを補正し、検出濃度が高いときには階調特性の傾きが小さくなるように、つまりトナー濃度が低くなるようにテーブルデータを補正する。
【００４９】
現像条件の調整は、例えば、現像装置２０ｄの現像バイアス電圧を調整することで行なわれる。
【００５０】
詳述すると、作像条件調整部３３は、第一の基準濃度検出部３２Ａにより検出された基準トナーパターンの濃度（検出濃度）と、予め設定された基準トナーパターンに対応する設定濃度とを比較し、設定濃度と検出濃度の差分に基づいて、現像バイアス電圧の調整を実行することで、検出濃度を設定濃度に維持する。現像バイアス電圧は、例えば、検出濃度が低い場合に高く設定され、検出濃度が高い場合に低く設定される。
【００５１】
また、作像条件調整部３３は、第一の基準濃度検出部３２Ａにより検出されたＭＣＹＫ各色についての濃度と、第二の基準濃度検出部３２Ｂにより検出されたＭＣＹＫ各色についての濃度との、同色についての差分を算出して、算出した差分に基づいて転写条件を調整する。
【００５２】
転写条件の調整は、例えば、転写バイアス電圧の調整である。詳述すると、作像条件調整部３３は、算出した差分が大きい程、感光体２０ｃから転写ベルト２１への転写効率がよくないと判断して、転写部２０ｅに印加する転写バイアス電圧を高く調整し、算出した差分が小さい程、転写効率がよいと判断して、転写バイアス電圧を低く調整する。
【００５３】
ここで、上述したように、転写部２０ｅと二次転写部２２は、同様の構成をしているので、両者の転写効率には相関関係がある。
【００５４】
よって、作像条件調整部３３は、調整した転写部２０ｅに印加する転写バイアス電圧に基づいて、二次転写部２２に印加する第二の転写バイアスを調整するように構成されていてもよい。
【００５５】
以下に詳述する。相関関係は、例えば、転写部２０ｅに様々な値の転写バイアス電圧を印加した場合の、感光体２０ｃから転写ベルト２１への転写効率に対する、転写ベルト２１から用紙への転写効率を求めることで、相関係数として統計的に導き出される。尚、転写ベルト２１から用紙への転写効率は、例えば、実際に用紙に転写されて出力された印刷画像等の濃度を測定し、測定した濃度と、第二の基準濃度検出部２７によって検出された転写ベルト２１上に形成された印刷画像等の濃度とに基づいて求めることができる。
【００５６】
作像条件調整部３３は、転写部２０ｅに印加する転写バイアス電圧に基づいて、例えば、当該転写バイアス電圧に前記相関係数を乗算することによって、二次転写部２２に印加する第二の転写バイアス電圧を決定する。
【００５７】
以下、本発明の画像形成装置による作像条件の調整について、図８に示すフローチャートに基づいて説明する。
【００５８】
画像形成制御部３１は、感光体ユニット２０を制御して感光体２０ｃ上に基準トナーパターンを形成する（Ｓ１）。
【００５９】
第一の基準濃度検出部３２Ａは、感光体２０ｃ上の基準トナーパターンの濃度を検出し（Ｓ２）、第二の基準濃度検出部３２Ｂは、感光体２０ｃから転写された転写ベルト２１上の基準トナーパターンの濃度を検出する（Ｓ３）。
【００６０】
作像条件調整部３３は、ステップＳ２で検出した基準トナーパターンの濃度に基づいて、階調変換テーブルデータの書替等による潜像形成条件の調整、または現像装置２０ｄの現像バイアス電圧の調整等による現像条件の調整を実行する（Ｓ４）。
【００６１】
また、作像条件調整部３３は、ステップＳ２、Ｓ３で検出した基準トナーパターンの濃度に基づいて、転写部２０ｅ及び二次転写部２２に印加する転写バイアス電圧の調整等による転写条件の調整を実行する（Ｓ５）。
【００６２】
以下、別実施形態について説明する。上述の実施形態では、画像形成制御部３１は、一連の印刷画像の形成後、または所定枚数の印刷画像の形成後に、感光体２０ｃに基準トナーパターンを形成する構成について説明したが、画像形成制御部３１は、印刷中に、感光体２０ｃ形成された印刷画像間に基準トナーパターンを形成する構成であってもよい。このような構成の場合、作像条件調整部３３は、印刷中に、作像条件を調整することになる。
【００６３】
また、このような構成の場合に、印刷画像間に形成されて転写ベルト２１に転写された基準トナーパターンの例を、図９に示す。
【００６４】
本発明による画像形成装置は、感光体２０ｃに形成されたトナー画像を、転写ベルト２１を介して用紙に転写する間接転写方式の画像形成装置であるならば、上述の実施形態で説明したような構成に限らない。
【００６５】
例えば、上述の実施形態では、図３及び図４に示すように、本発明による画像形成装置がＭＣＹＫの四個の感光体ユニット２０を備えたカラー機である構成について説明したが、カラー機に限らずモノクロ機であってもよい。
【００６６】
また、上述の実施形態では、本発明による画像形成装置が、図３に示すように、片面印刷用の画像形成装置である構成について説明したが、図１０に示すような両面印刷用の画像形成装置であってもよい。
【００６７】
更に、上述の実施形態では、図２及び図３に示すように、本発明による画像形成装置がデジタル複合機や複写機等である構成について説明したが、これらに限らず、例えばプリンタやファクシミリ等であってもよい。
【００６８】
尚、上述した実施形態は何れも本発明の一実施例に過ぎず、当該記載により本発明の範囲が限定されるものではなく、各部の具体的構成は本発明による作用効果を奏する範囲において適宜変更設計することができることは言うまでもない。
【図面の簡単な説明】
【００６９】
【図１】画像形成装置のブロック構成図
【図２】画像形成装置の外観図
【図３】画像形成装置の内部の説明図
【図４】画像出力部の説明図
【図５】（ａ）は、転写ベルトの進行方向に対して平行方向に並べた基準トナーパターンを示し、（ｂ）は、図５（ａ）の基準トナーパターンが転写ベルトに転写された状態を示す説明図
【図６】（ａ）は、転写ベルトの進行方向に対して垂直方向に並べた基準トナーパターンを示し、（ｂ）は、図６（ａ）の基準トナーパターンが転写ベルトに転写された状態を示す説明図
【図７】階調変換テーブルの説明図
【図８】画像形成装置による作像条件の調整について説明するためのフローチャート
【図９】印刷画像間に形成された基準トナーパターンが転写ベルトに転写された状態を示す説明図
【図１０】両面印刷に対応した画像形成装置の内部の説明図
【符号の説明】
【００７０】
２０ｃ：感光体
２１：転写ベルト
３１：画像形成制御部
３２Ａ：第一の基準濃度検出部
３２Ｂ：第二の基準濃度検出部
３３：作像条件調整部
【図１】
2009230004.tif 000003
【図２】
2009230004.tif 000004
【図３】
2009230004.tif 000005
【図４】
2009230004.tif 000006
【図５】
2009230004.tif 000007
【図６】
2009230004.tif 000008
【図７】
2009230004.tif 000009
【図８】
2009230004.tif 000010
【図９】
2009230004.tif 000011
【図１０】
2009230004.tif 000012